【手続補正書】
【提出日】平成22年1月25日(2010.1.25)
【手続補正１】
【補正対象書類名】明細書
【補正対象項目名】００２７
【補正方法】変更
【補正の内容】
【００２７】
請求項８のりん測定方法は、請求項１から５のいずれかのりん測定方法において、前記キャリアー液をクーロメトリータイプのフローセルによってキャリアー液中の妨害物質を還元処理した後にフローインジェクション分析に供することを特徴とする。
【手続補正２】
【補正対象書類名】明細書
【補正対象項目名】００５１
【補正方法】変更
【補正の内容】
【００５１】
図３は電気量に対するモリブデン酸アンモニウム濃度依存性（試料量２００μＬ）を示した特性図である。図４は最大電流に対するモリブデン酸アンモニウム濃度依存性（試料量２００μＬ）を示した特性図である。図５はバックグラウンド電流に対するモリブデン酸アンモニウム濃度依存性（試料量２００μＬ）を示した特性図である。
【手続補正３】
【補正対象書類名】明細書
【補正対象項目名】００５２
【補正方法】変更
【補正の内容】
【００５２】
図３の特性図から明らかなように、試料量が２００μＬである場合、モリブデン酸アンモニウム濃度が６ｇ／Ｌ以上で電気量が一定となることが確認された。図４の特性図から明らかなように、モリブデン酸アンモニウム濃度が増加するに伴って最大電流は上昇するが、図５の特性図に示されたように、モリブデン酸アンモニウム濃度が８ｇ／Ｌ付近からバックグラウンド電流が急激に上昇することが確認できる。これはモリブデン酸アンモニウムの最適濃度が８ｇ／Ｌ付近であることを示唆するものである。
【手続補正４】
【補正対象書類名】明細書
【補正対象項目名】００５３
【補正方法】変更
【補正の内容】
【００５３】
一方、図６は電気量に対するモリブデン酸アンモニウム濃度依存性（試料量４００μＬ）を示した特性図である。図７は最大電流に対するモリブデン酸アンモニウム濃度依存性（試料量４００μＬ）を示した特性図である。図８はバックグラウンド電流に対するモリブデン酸アンモニウム濃度依存性（試料量４００μＬ）を示した特性図である。
【手続補正５】
【補正対象書類名】明細書
【補正対象項目名】００６３
【補正方法】変更
【補正の内容】
【００６３】
（３）最適な印加電圧
印加電圧はバックグラウンドや感度等を左右するので、最適な印加電圧が設定されなければならない。図１４には最適な印加電圧について検討された結果が示されている。
【手続補正６】
【補正対象書類名】明細書
【補正対象項目名】００６４
【補正方法】変更
【補正の内容】
【００６４】
図１のりん測定システム１の構成要素からなる実験系において表４に示された条件でモリブデン酸アンモニウムと硫酸の混合液を試薬溶液とし、インジェクションバルブから試料水として１０ｍｇ／Ｌのリン標準液（リン酸二水素カリウム水溶液）が注入された。印加電圧は４００ｍＶ〜２９０ｍＶまで変化され、ハイドロダイナミックボルタモグラムが求められた。また、図１５に印加電圧とバックグラウンド電流との関係を示した特性図を開示した。
【手続補正７】
【補正対象書類名】明細書
【補正対象項目名】００７０
【補正方法】変更
【補正の内容】
【００７０】
図１６〜図１９に示された決定係数（Ｒ2）がいずれもＲ2＞０．９であるので、表４及び表５の条件において、印加電圧が２９０〜３２０ｍＶの範囲であれば精度よく測定できることを示している。図１６〜図１９に表記された回帰直線のパラメータｙは電気量（ｍＣ）を意味し、パラメータｘはリン標準液濃度（ｍｇ／Ｌ）を意味する。印加電圧は例えば試薬濃度等の条件が異なると最適印加電圧は変動するので、条件を変化した時には、その都度、ハイドロダイナミックボルタモグラムを求めて最適な印加電圧を求める必要がある。
【手続補正８】
【補正対象書類名】明細書
【補正対象項目名】０１２２
【補正方法】変更
【補正の内容】
【０１２２】
【図１】本発明のりん測定方法の一実施形態を示した概略構成図。
【図２】フローインジェクション分析法で測定された還元電流のパターンを示した特性図。
【図３】電気量に対するモリブデン酸アンモニウム濃度依存性（試料量２００μＬ）を示した特性図。
【図４】最大電流に対するモリブデン酸アンモニウム濃度依存性（試料量２００μＬ）を示した特性図。
【図５】バックグラウンド電流に対するモリブデン酸アンモニウム濃度依存性（試料量２００μＬ）を示した特性図。
【図６】電気量に対するモリブデン酸アンモニウム濃度依存性（試料量４００μＬ）を示した特性図。
【図７】最大電流に対するモリブデン酸アンモニウム濃度依存性（試料量４００μＬ）を示した特性図。
【図８】バックグラウンド電流に対するモリブデン酸アンモニウム濃度依存性（試料量４００μＬ）を示した特性図。
【図９】試薬溶液のモリブデン酸アンモニウム濃度が４ｇ／Ｌである場合のリン標準液濃度と電気量との関係を示した特性図。
【図１０】試薬溶液のモリブデン酸アンモニウム濃度が６ｇ／Ｌである場合のリン標準液濃度と電気量との関係を示した特性図。
【図１１】試薬溶液のモリブデン酸アンモニウム濃度が８ｇ／Ｌである場合のリン標準液濃度と電気量との関係を示した特性図。
【図１２】試薬溶液のモリブデン酸アンモニウム濃度が１０ｇ／Ｌである場合のリン標準液濃度と電気量との関係を示した特性図。
【図１３】試薬溶液の硫酸濃度と最大電流値との関係を示した特性図。
【図１４】印加電圧と電気量との関係を示した特性図。
【図１５】印加電圧とバックグラウンド電流との関係を示した特性図。
【図１６】印加電圧が２９０ｍＶである場合のリン標準液濃度と電気量との関係を示した特性図。
【図１７】印加電圧が３００ｍＶである場合のリン標準液濃度と電気量との関係を示した特性図。
【図１８】印加電圧が３１０ｍＶである場合のリン標準液濃度と電気量との関係を示した特性図。
【図１９】印加電圧が３２０ｍＶである場合のリン標準液濃度と電気量との関係を示した特性図。
【図２０】作用電極と電気量との関係を示した特性図。
【図２１】流速が０．５ｍＬ／分である場合のリン標準液濃度と電気量との関係を示した特性図。
【図２２】流速が０．４ｍＬ／分である場合のリン標準液濃度と電気量との関係を示した特性図。
【図２３】流速が０．３ｍＬ／分である場合のリン標準液濃度と電気量との関係を示した特性図。
【図２４】流速が０．２５ｍＬ／分である場合のリン標準液濃度と電気量との関係を示した特性図。
【図２５】流速が０．２ｍＬ／分である場合のリン標準液濃度と電気量との関係を示した特性図。
【図２６】流速が０．１５ｍＬ／分である場合のリン標準液濃度と電気量との関係を示した特性図。
【図２７】流速が０．１ｍＬ／分である場合のリン標準液濃度と電気量との関係を示した特性図。
【図２８】流速が０．０５ｍＬ／分である場合のリン標準液濃度と電気量との関係を示した特性図。
【図２９】流速が０．３ｍＬ／分である場合のリン標準液濃度と電気量との関係を示した特性図。
【図３０】流速が０．６ｍＬ／分である場合のリン標準液濃度と電気量との関係を示した特性図。
【図３１】測定値に及ぼす試料水温度の影響を示した特性図。
【図３２】測定感度を示した特性図。
【図３３】リン標準液濃度と電気量との関係を示した特性図。
【図３４】測定精度を示した特性図。
【図３５】測定精度を示した特性図。
【図３６】５分間隔で還元電流を連続測定した結果を示した特性図。
【図３７】１．３分間隔で還元電流を連続測定した結果を示した特性図。
【図３８】１．４分間隔で還元電流を連続測定した結果を示した特性図。
【図３９】１．６分間隔で還元電流を連続測定した結果を示した特性図。
【図４０】２．３分間隔で還元電流を連続測定した結果を示した特性図。
【図４１】蒸留水とリン標準液の電気量を示した特性図。
【図４２】本発明に係る測定法と公定法との相関性を示した特性図。
【図４３】繰り返し測定されたリン標準液濃度と電気量との関係を示した特性図。
【図４４】本発明のりん測定方法の一実施形態を示した概略構成図。
【手続補正９】
【補正対象書類名】図面
【補正対象項目名】図３
【補正方法】変更
【補正の内容】
【図３】
2008196873.tif 000001
【手続補正１０】
【補正対象書類名】図面
【補正対象項目名】図４
【補正方法】変更
【補正の内容】
【図４】
2008196873.tif 000002
【手続補正１１】
【補正対象書類名】図面
【補正対象項目名】図５
【補正方法】変更
【補正の内容】
【図５】
2008196873.tif 000003
【手続補正１２】
【補正対象書類名】図面
【補正対象項目名】図６
【補正方法】変更
【補正の内容】
【図６】
2008196873.tif 000004
【手続補正１３】
【補正対象書類名】図面
【補正対象項目名】図７
【補正方法】変更
【補正の内容】
【図７】
2008196873.tif 000005
【手続補正１４】
【補正対象書類名】図面
【補正対象項目名】図８
【補正方法】変更
【補正の内容】
【図８】
2008196873.tif 000006